(57)【要約】【課題】  輝度を増して温度を下げられるハイパワー発光ダイオード構造の提供。【解決手段】  基板底部に導熱板を設け、且つ導熱板上表面に複数の絶縁膜を敷設すると共に、絶縁膜表面より突出する複数の電気接点を設け、並びに中央の電気接点内に少なくとも一つのエピタキシャルチップを設け、該エピタキシャルチップの周囲に複数の導熱機能を具備する注入孔を設け、且つ基板上に射出方式を利用してエピタキシャルチップ周囲を被覆可能なフレームを形成し、そのフレーム底面に複数の係止部を形成し、且つ複数の係止部を基板の注入孔に係合して位置決めし、フレーム上面に透光材料で製造した透光カバーを設け、エピタキシャルチップ底面を導熱板に確実に接合させて急速放熱し、透光カバー上部の円弧凸状表面の光の屈折により、発射光源輝度を高める。【選択図】        図２
2009094282.tif 000002
【特許請求の範囲】
【請求項１】
輝度アップ可能且つ温度を下げられるハイパワー発光ダイオード構造において、基板、フレームを包含し、該基板の底部に導熱板が設けられ、且つ該導熱板の上表面に複数の絶縁膜が敷設され、また該絶縁膜表面より突出する複数の電気接点が設けられ、並びに中央の電気接点内に少なくとも一つのエピタキシャルチップが設けられ、該エピタキシャルチップの周囲に複数の注入孔が設けられ、該フレームは射出成型で形成されて該エピタキシャルチップの周囲を被覆し、該フレームの底部に該基板の該注入孔内に向けて該注入孔と結合状態を呈する係止部が射出成型されたことを特徴とする、ハイパワー発光ダイオード構造。
【請求項２】
請求項１記載のハイパワー発光ダイオード構造において、該導熱板が銅材に銀をメッキして製造されたことを特徴とする、ハイパワー発光ダイオード構造。
【請求項３】
請求項１記載のハイパワー発光ダイオード構造において、該絶縁膜がエポキシ材料で製造されたことを特徴とする、ハイパワー発光ダイオード構造。
【請求項４】
請求項１記載のハイパワー発光ダイオード構造において、該絶縁膜上に複数の回路と電気接点が設けられ、さらに回路上方に別の絶縁膜が設けられて、電気接点が絶縁膜表面より突出させられたことを特徴とする、ハイパワー発光ダイオード構造。
【請求項５】
請求項１記載のハイパワー発光ダイオード構造において、該基板中央の電気接点内に導熱エリアが設けられ、且つ該導熱エリアに少なくとも一つのエピタキシャルチップが設けられ、該エピタキシャルチップの両側にそれぞれ電気接点と電気的接続を形成する導線が設けられたことを特徴とする、ハイパワー発光ダイオード構造。
【請求項６】
請求項１記載のハイパワー発光ダイオード構造において、該フレームは液晶重合物（ＬＣＰ）或いはその他の絶縁を射出成型して矩形或いはその他の形状となしたブロック体とされることを特徴とする、ハイパワー発光ダイオード構造。
【請求項７】
請求項１記載のハイパワー発光ダイオード構造において、該フレームの中央に、エピタキシャルチップを囲み且つ下向きに漸次縮小する円弧状の中空部が設けられ、該中空部の側壁に該エピタキシャルチップの発射する光線を集中させられる反射面が設けられ、且つ該中空部内にシリコン樹脂材料で形成され且つエピタキシャルチップを被覆し位置決めする封止樹脂体が設けられたことを特徴とする、ハイパワー発光ダイオード構造。
【請求項８】
請求項１記載のハイパワー発光ダイオード構造において、複数の該係止部は該フレームの底面の各角部に形成されたことを特徴とする、ハイパワー発光ダイオード構造。
【請求項９】
請求項１記載のハイパワー発光ダイオード構造において、該フレームの上面に透光材料で製造された透光カバーが設けられたことを特徴とする、ハイパワー発光ダイオード構造。
【請求項１０】
請求項９記載のハイパワー発光ダイオード構造において、該フレームの両対向側にそれぞれ係止孔が設けられ、該透光カバーの底部の両対向側に係止孔と対応し係合、位置決めされる係合片が設けられたことを特徴とする、ハイパワー発光ダイオード構造。
【請求項１１】
請求項１記載のハイパワー発光ダイオード構造において、該基板の下方にヒートシンクが設けられたことを特徴とする、ハイパワー発光ダイオード構造。
【請求項１２】
請求項１１記載のハイパワー発光ダイオード構造において、該ヒートシンクがアルミニウムで製造され、且つその底部に下向きに、複数のストリップ状のフィンが延設されたことを特徴とする、ハイパワー発光ダイオード構造。
【請求項１３】
請求項１記載のハイパワー発光ダイオード構造において、該基板の該注入孔が逆Ｔ状或いは下向きに漸次拡大するスピーカ状とされ、該フレームの底部の係止部形状は該注入孔に対応し、且つ該注入孔はエピタキシャルチップの熱を導出することを特徴とする、ハイパワー発光ダイオード構造。
【発明の詳細な説明】
【技術分野】
【０００１】
本発明は一種のハイパワー発光ダイオード構造に係り、特に、基板上に射出方式でフレームを形成し、且つフレーム底部を係止部で基板と係合させて位置決めし、並びにフレーム上に円弧凸状表面を具備する透光カバーを取り付け、急速放熱と光源輝度を高める目的を達成した、ハイパワー発光ダイオード構造に関する。
【背景技術】
【０００２】
科学技術の飛躍的な進歩に伴い、ますますテクノロジー製品が日常生活中に運用されて、生活の便利性を高めており、一部の製品は人々の生活に不可欠な生活用品となっており、例えば電灯はそのような製品の一つであり、十分な陽光が得られる場合或いは特殊な場合を除き、電灯は生活の必需品の一つである。科学技術の進歩に伴い、バルブは改良され、灯油ランプ、カーバイトランプ、タングステンランプから、現在使用されている蛍光灯、石英ランプとキセノンランプへと進歩している。
【０００３】
さらに、発光ダイオードの出現と改良に伴い、現在、発光ダイオードは旧式のバルブに代わり使用されるようになり、発光ダイオードは輝度が高く、寿命が長く、節電でき、起動が快速で、汚染がなく、回収可能で、価格が低く、強固であり、発熱しにくい等の長所のために、多くのメーカーが発光ダイオードの研究開発及び改良に参入している。
【０００４】
しかし、一般に発光ダイオードを使用する時、その輝度は比較的小さく且つ光が拡散して集中しないため、実際の使用時には照明の機能を達成できず、ゆえにメーカーはハイパワーの発光ダイオードを研究開発し、ハイパワー発光ダイオードは比較的高い輝度を有するとはいえ、高温高熱を発生するため、その使用寿命が短くなる。ゆえに、メーカーはこの問題に対して以下のような改良を行っている。
【０００５】
図５、６を参照されたい。それはヒートシンクＡ上に導熱機能を具備する導熱板Ｂを設け、且つ導熱板Ｂの中央に下向きに凹んだ反射溝Ｂ１を設け、並びに反射溝Ｂ１中にチップＢ１１を設け、チップＢ１１の両側を導線Ｂ１１１により導熱板Ｂに設けた回路Ｂ２と電気的に接続し、該反射溝Ｂ１中にはさらに樹脂Ｃを設け、更に樹脂Ｃの上方に固定リングＤを設け、チップＢ１１を反射溝Ｂ１に取り付け、並びにボンディングマシンで複数の導線Ｂ１１１を電気的にチップＢ１１、回路Ｂ２に接続させた後、樹脂Ｃを反射溝Ｂ１に注入し、チップＢ１１と導線Ｂ１１１を位置決めし、並びに固定リングＤで樹脂Ｃと導熱板Ｂの上表面に固定し、最後に導熱板ＢをヒートシンクＡの上面にネジ止めする。
【発明の開示】
【発明が解決しようとする課題】
【０００６】
上述の従来のハイパワー発光ダイオードを実際に使用する時、導熱板ＢによりチップＢ１１の高熱をヒートシンクＡに伝導させて発散させられ、チップＢ１１温度を下げる目的を達成できるが、この従来の技術は、例えば以下のような改善すべき多くの問題と欠点を有している。
（１）該導熱板Ｂに反射溝Ｂ１を削設する必要があるが、導熱板Ｂは厚さが薄く、体積が小さい特徴を有するため、反射溝Ｂ１の削設作業は困難で煩瑣であり、且つ反射溝Ｂ１の表面に不平坦な状況が発生しやすく、チップＢ１１及び導線Ｂ１１１の取り付け時に不良品を発生しやすく、不良率が高くなり、且つ反射溝Ｂ１の不平坦な表面はチップＢ１１の発射する光線を歪ませたり屈折させたりし、ハイパワー発光ダイオードの輝度が低くなる。
（２）該チップＢ１１を実際に使用する時、高熱を発生し、樹脂ＣはチップＢ１１の外側を被覆しているため、樹脂ＣがチップＢ１１の発生する高温の影響を受けて樹脂Ｃが破裂し、防塵、接触防止の機能を達成できなくなる。
ゆえに、本発明は、上述の問題と欠点を鑑み、急速に放熱でき発光輝度を高めることができるハイパワー発光ダイオード構造を提供するものである。
【課題を解決するための手段】
【０００７】
請求項１の発明は、輝度アップ可能且つ温度を下げられるハイパワー発光ダイオード構造において、基板、フレームを包含し、該基板の底部に導熱板が設けられ、且つ該導熱板の上表面に複数の絶縁膜が敷設され、また該絶縁膜表面より突出する複数の電気接点が設けられ、並びに中央の電気接点内に少なくとも一つのエピタキシャルチップが設けられ、該エピタキシャルチップの周囲に複数の注入孔が設けられ、該フレームは射出成型で形成されて該エピタキシャルチップの周囲を被覆し、該フレームの底部に該基板の該注入孔内に向けて該注入孔と結合状態を呈する係止部が射出成型されたことを特徴とする、ハイパワー発光ダイオード構造としている。
請求項２の発明は、請求項１記載のハイパワー発光ダイオード構造において、該導熱板が銅材に銀をメッキして製造されたことを特徴とする、ハイパワー発光ダイオード構造としている。
請求項３の発明は、請求項１記載のハイパワー発光ダイオード構造において、該絶縁膜がエポキシ材料で製造されたことを特徴とする、ハイパワー発光ダイオード構造としている。
請求項４の発明は、請求項１記載のハイパワー発光ダイオード構造において、該絶縁膜上に複数の回路と電気接点が設けられ、さらに回路上方に別の絶縁膜が設けられて、電気接点が絶縁膜表面より突出させられたことを特徴とする、ハイパワー発光ダイオード構造としている。
請求項５の発明は、請求項１記載のハイパワー発光ダイオード構造において、該基板中央の電気接点内に導熱エリアが設けられ、且つ該導熱エリアに少なくとも一つのエピタキシャルチップが設けられ、該エピタキシャルチップの両側にそれぞれ電気接点と電気的接続を形成する導線が設けられたことを特徴とする、ハイパワー発光ダイオード構造としている。
請求項６の発明は、請求項１記載のハイパワー発光ダイオード構造において、該フレームは液晶重合物（ＬＣＰ）或いはその他の絶縁を射出成型して矩形或いはその他の形状となしたブロック体とされることを特徴とする、ハイパワー発光ダイオード構造としている。
請求項７の発明は、請求項１記載のハイパワー発光ダイオード構造において、該フレームの中央に、エピタキシャルチップを囲み且つ下向きに漸次縮小する円弧状の中空部が設けられ、該中空部の側壁に該エピタキシャルチップの発射する光線を集中させられる反射面が設けられ、且つ該中空部内にシリコン樹脂材料で形成され且つエピタキシャルチップを被覆し位置決めする封止樹脂体が設けられたことを特徴とする、ハイパワー発光ダイオード構造としている。
請求項８の発明は、請求項１記載のハイパワー発光ダイオード構造において、複数の該係止部は該フレームの底面の各角部に形成されたことを特徴とする、ハイパワー発光ダイオード構造としている。
請求項９の発明は、請求項１記載のハイパワー発光ダイオード構造において、該フレームの上面に透光材料で製造された透光カバーが設けられたことを特徴とする、ハイパワー発光ダイオード構造としている。
請求項１０の発明は、請求項９記載のハイパワー発光ダイオード構造において、該フレームの両対向側にそれぞれ係止孔が設けられ、該透光カバーの底部の両対向側に係止孔と対応し係合、位置決めされる係合片が設けられたことを特徴とする、ハイパワー発光ダイオード構造としている。
請求項１１の発明は、請求項１記載のハイパワー発光ダイオード構造において、該基板の下方にヒートシンクが設けられたことを特徴とする、ハイパワー発光ダイオード構造としている。
請求項１２の発明は、請求項１１記載のハイパワー発光ダイオード構造において、該ヒートシンクがアルミニウムで製造され、且つその底部に下向きに、複数のストリップ状のフィンが延設されたことを特徴とする、ハイパワー発光ダイオード構造としている。
請求項１３の発明は、請求項１記載のハイパワー発光ダイオード構造において、該基板の該注入孔が逆Ｔ状或いは下向きに漸次拡大するスピーカ状とされ、該フレームの底部の係止部形状は該注入孔に対応し、且つ該注入孔はエピタキシャルチップの熱を導出することを特徴とする、ハイパワー発光ダイオード構造としている。
【発明の効果】
【０００８】
本発明は、ハイパワー発光ダイオード構造において、基板上に射出成型方式でフレームを形成し、該フレームの底部に基板の注入孔内に向けて結合状態を呈し得る係止部を設け、且つ該フレームの中空部側壁を平滑で整った反射面となし、エピタキシャルチップをフレームの中空部内に収容する時、そのエピタキシャルチップの発射する光線が反射面により集中してフレーム上方の透光カバーに至り、更に透光カバー上部の円弧凸状表面により屈折して外に発射されるようにし、これにより発射光線の輝度を高められるようにしている。
【０００９】
本発明はまた、ハイパワー発光ダイオード構造において、該基板上にエピタキシャルチップの収容、封止に供される凹溝を設ける必要をなくし、ゆえに基板の平坦な表面を有する導熱板上に絶縁膜、回路及び電気接点を敷設する時、一次加工により成型のステップを達成し、工程ステップ数を節約できる長所を具備させ、且つ導熱板の平坦表面によりエピタキシャルチップと導線の設置作業に便利とし、エピタキシャルチップの底部を完全にヒートシンク表面に接合させ、放熱面積を増してエピタキシャルチップの放熱速度を高める長所を具備させている。
【００１０】
本発明はまた、ハイパワー発光ダイオード構造において、該エピタキシャルチップをフレームの中空部内に取り付け、エピタキシャルチップの熱量を導熱板によりヒートシンクに伝導して急速に発散させて、降温させ、これにより、中空部内のパッケージ工程によりエピタキシャルチップを被覆するように形成した封止樹脂が高温で破裂するのを防止し、確実に防塵、衝突防止等、エピタキシャルチップ保護の目的を達成させられる。
【発明を実施するための最良の形態】
【００１１】
図１、２、３は本発明の立体外観図、立体分解図、側面断面図である。これらの図に明らかなように、該ハイパワー発光ダイオード構造は基板１、フレーム２、ヒートシンク３等で構成される。
【００１２】
該基板１の底部には銅材に銀をメッキして製造した導熱板１１を設け、並びに該導熱板１１の上表面にエポキシ樹脂材料の絶縁膜１２を敷設し、且つ絶縁膜１２上に複数の回路１３と、絶縁膜１２表面より突出可能な複数の電気接点１４を設け、並びに中央の電気接点１４に導熱エリア１４１を設け、該導熱エリア１４１上に少なくとも一つのエピタキシャルチップ１５を設け、且つ該エピタキシャルチップ１５の両側にそれぞれ導線１５１を設け、さらにエピタキシャルチップ１５の周囲に複数の、導熱に供される注入孔１６を設け、且つ基板１の両側にそれぞれネジ孔１７を設ける。
【００１３】
該フレーム２は液晶重合物（ＬＣＰ）或いはその他の絶縁材料を射出成型してなる矩形ブロック体とし、並びにフレーム２の中央に、下向きに漸次縮小する円弧状中空部２１を設け、該円弧状中空部２１の側壁に反射面２１１を設け、該フレーム２底面の各角部に複数の係止部２２を形成し、フレーム２の、円弧状中空部２１の両対向側に係止孔２３を設け、さらに中空部２１内にシリコン樹脂材料の透光封止樹脂体２４を設け、且つフレーム２の上面に透光材料で製造した透光カバー２５を設け、該透光カバー２５の上部は円弧凸状とし、且つ透光カバー２５の底部の両対向側にそれぞれ下向きの係合片２５１を設ける。
【００１４】
該ヒートシンク３はアルミ材料で製造し、且つその底部に下向きに複数のストリップ状のフィン３１を設け、並びにヒートシンク３に複数のネジ孔３２を設ける。
【００１５】
上述の各部品を組み合わせる時は、基板１の上方に金型を利用して射出成型方式でフレーム２を成型し、且つフレーム２の底部の複数の係止部２２を基板１の複数の注入孔１６内に結合させて位置決めを達成する。このとき、パッケージ工程を利用してフレーム２の中空部２１内に封止樹脂体２４を設け、該封止樹脂体２４に基板１のエピタキシャルチップ１５の外側を被覆させ、並びにフレーム２上方に透光カバー２５を取り付け、該透光カバー２５は底部の複数の係合片２５１のフレーム２の係止孔２３への係合を利用して位置決めし、こうして主体装置を形成し、更に基板１をヒートシンク３の上面に固定し、もう一つの主体装置を形成する。
【００１６】
上述の基板１の導熱板１１は銅、アルミニウム、或いはその他の導熱可能な材料で製造し、且つ基板１の電気接点１４内に、エピタキシャルチップ１５の固定に供する導熱エリア１４１を設け、エピタキシャルチップ１５は導線１５１で回路１３と電気的接続を形成し、該導熱エリア１４１には絶縁膜１２を敷設しても敷設しなくてもよく、それはエピタキシャルチップ１５の熱エネルギーをヒートシンク３に伝導する機能を具備するものであればよく、これにより本発明の請求範囲を限定せず、もしその他の修飾或いは同等の効果を有する構造変化を利用する場合、それらはいずれも本発明の請求範囲内に属する。
【００１７】
続いて図２、３を参照されたい。図中に明らかであるように、該基板１上に射出方式でフレーム２を成型した後、その基板１上の少なくとも一つのエピタキシャルチップ１５はフレーム２の中空部２１内に収容され、さらに中空部２１内に封止樹脂体２４を設け、封止樹脂体２４の上方には透光カバー２５を取り付ける。透光カバー２５はその下方の複数の係合片２５１を封止樹脂体２４の対応する係止孔２３に係合させることで位置決めし、エピタキシャルチップ１５が光線を発する時、その光線はフレーム２の中空部２１側壁の反射面２１１を利用して反射され集中し、且つ光線は反射された後に透光カバー２５を通り、並びに透光カバー２５の上部の円弧凸状表面で屈折した後、外向きに発射され、これにより本発明が光線輝度アップの効果を具備するものとされる。
【００１８】
また、該透光カバー２５は透光材料を金型中で射出成型して一体成型され、それは製造が簡単であるのみならず、製造コストが低廉で、また、独立製造可能であり、透光カバー２５は係合片２５１を利用して速やかにフレーム２の係止孔２３内に取り付けられ、こうして組立、位置決め動作を完成でき、その組立は簡単、迅速であり、生産ラインの製造速度をアップできる。
【００１９】
更に、基板１の導熱板１１の平坦な表面上に絶縁膜１２、複数の回路１３及び電気接点１４を設置する時は、印刷或いはその他の方式で一次加工成型でき、加工ステップを減らして基板１の加工歩留りを高めることができる。
【００２０】
エピタキシャルチップ１５は樹脂を利用して封止樹脂体２４を形成した後に、直接基板１に固定、接続され、エピタキシャルチップ１５が続けて発光し且つ大量に発熱する時、その熱量はその下方の銅材質の導熱板１１を通してヒートシンク３に伝わり、続いて熱量はヒートシンク３の底部の複数のストリップ状のフィン３１を通り空気中に発散され、エピタキシャルチップ１５の放熱効果を高める目的が達成される。上述の放熱経路により確実にエピタキシャルチップ１５の温度を下げられ、エピタキシャルチップ１５が使用時にその発生する高熱のためにエピタキシャルチップ１５の寿命が短くなる欠点を解決して使用寿命を延長する長所を具備する。
【００２１】
上述のヒートシンク３はアルミウム、銅、グラファイト或いはその他の導熱材料で製造され、且つその底部に延設した複数のフィン３１はストリップ状、片状、或いはその他の放熱面積を増せる形状とされ、それはエピタキシャルチップ１５が基板１を通して伝導する熱量を急速に発散さっせて、エピタキシャルチップ１５の温度を下降させる機能を具備するものであればよく、これにより本発明の請求範囲を制限するものではなく、その他の修飾或いは同等の構造変化は、いずれも本発明の請求範囲内に属する。
【００２２】
このほか、封止樹脂体２４がフレーム２の中空部２１内に設置され、且つエピタキシャルチップ１５の発散する高熱が急速且つ均一に基板１の銅材質の基板１に伝導され、さらに導熱板１１底面に接合されたヒートシンク３の熱量発散により降温が達成されるが、エピタキシャルチップ１５を被覆する封止樹脂体２４はまた、フレーム２により降温される。フレーム２はその係止部２２が基板１の注入孔１６を通りヒートシンク３に接触するため、エピタキシャルチップ１５の熱量が基板１の導熱板１１に伝えられるだけでなく、直接ヒートシンク３に伝えられ、エピタキシャルチップ１５自身の温度が下降し、ゆえにエピタキシャルチップ１５を被覆する封止樹脂体２４の温度も下がり、封止樹脂体２４が降温により破裂せず、確実に封止樹脂体２４によるエピタキシャルチップ１５保護の目的を達成でき、封止樹脂体２４に良好な防塵、衝突防止の機能を具備させられる。
【００２３】
上述のフレーム２と透光カバー２５は、矩形、円形、楕円形或いはその他の幾何図形とされ得て、そのフレーム２はエピタキシャルチップ１５及び導線１５１を収容して封止樹脂体２４による被覆位置決めのパッケージ作業に供されるもので、透光カバー２５は封止樹脂体２４の外部を保護するのみならず、光の形、角度を校正する機能を具備し、且つフレーム２の上方に透光カバー２５が取り付けられ、並びにフレーム２の底部に基板１との係合、位置決め用の係止部２２が設けられる。しかしこれは本発明の特許請求の範囲を制限するものではなく、その他の修飾及び同等の構造変化は、いずれも本発明の請求範囲に属する。
【００２４】
また、図３、４の本発明の側面断面図、好ましい実施例の側面断面図に示されるように、該基板１の注入孔１６は逆Ｔ形或いは下向きに漸次拡大されたスピーカ状とされ、フレーム２の底部の係止部２２の形状は注入孔１６に対応し、それはフレーム２を強固に基板１上方に位置決めできて、並びにエピタキシャルチップ１５の熱量を注入孔１６を通してヒートシンク３に伝導できるものであればよく、これは本発明の請求範囲を限定するものではなく、その他の修飾及び同等の構造変化は、いずれも本発明の請求範囲に属する。
【００２５】
上述の本発明のハイパワー発光ダイオード構造は実際の使用時に、以下のような長所を有する。
（一）基板１に射出方式を利用してフレーム２が形成され、フレーム２の底部に基板１の注入孔１６内に向けて結合状態を呈する係止部２２が形成され、且つフレーム２の中空部２１の側壁に位置する反射面２１１は平滑面とされ、ゆえにエピタキシャルチップ１５がフレーム２の中空部２１内に収容される時、エピタキシャルチップ１５の発射する光線は反射面２１１により集中してフレーム２上方の透光カバー２５に至り、さらに透光カバー２５の上部の円弧凸状表面で屈折して外に射出され、本発明の発射光輝度アップの目的を達成する。
（二）該基板１上にエピタキシャルチップ１５を収容し封止するための凹溝を削設する必要がなく、ゆえに基板１の平坦表面を具備する導熱板１１上に絶縁膜１２、回路１３及び電気接点１４を敷設する時、一次加工で成型の目的を達成でき、製造ステップ数を節約できる。
（三）該導熱板１１の平坦表面はエピタキシャルチップ１５及び導線１５１の設置作業に便利であり、且つエピタキシャルチップ１５の底部は完全にヒートシンク３の表面に接合され、エピタキシャルチップ１５の放熱速度をアップできる長所を具備する。
（四）エピタキシャルチップ１５はフレーム２の中空部２１内に設けられ、エピタキシャルチップ１５は導熱板１１及びヒートシンク３を通して急速放熱でき、ゆえに中空部２１内に設けられてエピタキシャルチップ１５を被覆する封止樹脂体２４は高温により破裂することがなく、さらに透光カバー２５が組み合わされて、確実に防塵、衝突防止等のエピタキシャルチップ１５保護と光形、角度を校正する目的を達成する。
【００２６】
ゆえに、本発明はハイパワー発光ダイオード構造に対して、基板１上に射出方式で、エピタキシャルチップ１５を囲むフレーム２を形成し、且つフレーム２の底部に基板１と係合、位置決めされる係止部２２を形成し、並びにフレーム２上に透光カバー２５を取り付けて光形、角度を校正し、さらに基板１の底面にヒートシンク３をネジ止めして、エピタキシャルチップ１５の温度を下げ且つ発射光線の輝度をアップする。しかし、以上の説明は本発明の好ましい実施例の説明に過ぎず、本発明の請求範囲を制限するものではなく、ゆえに本発明の明細書及び図面の内容に基づきなし得る簡単な修飾及び同等の構造変化は、いずれも本発明の特許範囲内に包含される。
【００２７】
総合すると、本発明の上述のハイパワー発光ダイオード構造を使用する時、確実にその作用効果と目的を達成することができる。
【図面の簡単な説明】
【００２８】
【図１】本発明の立体外観図である。
【図２】本発明の立体分解図である。
【図３】本発明の側面断面図である。
【図４】本発明の好ましい実施例の側面断面図である。
【図５】周知の技術の立体分解図である。
【図６】周知の技術の側面断面図である。
【符号の説明】
【００２９】
１  基板
１１  導熱板              １５  エピタキシャルチップ
１２  絶縁膜              １５１  導線
１３  回路                １６  注入孔
１４  電気接点            １７  ネジ孔
１４１  導熱エリア
２  フレーム
２１  中空部              ２４  封止樹脂体
２１１  反射面            ２５  透光カバー
２２  係止部              ２５１  係合片
２３  係止孔
３  ヒートシンク
３１  フィン              ３２  ネジ孔
Ａ  ヒートシンク
Ｂ  導熱板
Ｂ１  反射溝              Ｂ１１１  導線
Ｂ１１  チップ            Ｂ２  回路
Ｃ  樹脂                  Ｄ  固定リング
【図１】
2009094282.tif 000003
【図２】
2009094282.tif 000004
【図３】
2009094282.tif 000005
【図４】
2009094282.tif 000006
【図５】
2009094282.tif 000007
【図６】
2009094282.tif 000008